(57)【要約】【課題】遊技盤アッセンブリの積み上げ作業を容易かつ確実に行うこと。【解決手段】合成樹脂製遊技盤１は貫通孔２６を有する。合成樹脂製スペーサー５は、遊技盤１側の面２２に貫通孔２６に対応して設けられる係止突起部２１と、非遊技盤側の面２３に係止突起部２１に対応して設けられる係止凹部２４を有する。遊技盤１にスペーサー５を組み付けるとき、係止突起部２１は貫通孔２６を突き抜け、先端部２５が遊技盤１の盤面２７から突出した状態になる。遊技盤アッセンブリ１００を順に積み上げたとき、上側の遊技盤アッセンブリ１００Ａの各係止凹部２４が下側の遊技盤アッセンブリ１００Ｂの係止突起部２１の先端部２５によって支持され、上側の遊技盤アッセンブリ１００Ａのスペーサー５の下面２３と、下側の遊技盤アッセンブリ１００Ｂの遊技盤１の盤面２７とが非接触状態を維持する。【選択図】図６
2011045447.tif 000002
【特許請求の範囲】
【請求項１】
合成樹脂製遊技盤の裏面の外周部に合成樹脂製スペーサーを組付けてなる遊技盤アッセンブリを備えるパチンコ遊技機において、
前記遊技盤に設けられた貫通孔と、
前記スペーサーの遊技盤側の面に設けられた係止突起部であって、前記遊技盤に前記スペーサーを組み付けるとき、前記貫通孔を突き抜け、先端部が遊技盤の盤面から突出した状態になる係止突起部と、
前記スペーサーの非遊技盤側の面に前記係止突起部に対応して設けられた係止凹部と、
を備え、
盤面に対する遊技釘等の装着作業前の遊技盤を要素とする遊技盤アッセンブリを順に積み上げたとき、下側の遊技盤アッセンブリの係止突起部の先端部が上側の遊技盤アッセンブリの係止凹部に嵌るよう構成されることを特徴とするパチンコ遊技機。
【請求項２】
盤面に対する遊技釘等の装着作業前の遊技盤を要素とする遊技盤アッセンブリを順に積み上げたとき、上側の遊技盤アッセンブリの係止凹部が下側の遊技盤アッセンブリの係止突起部の先端部によって支持され、上側の遊技盤アッセンブリのスペーサーの下面と、下側の遊技盤アッセンブリの遊技盤の盤面とが非接触状態を維持するよう構成されることを特徴とする請求項１に記載のパチンコ遊技機。
【発明の詳細な説明】
【技術分野】
【０００１】
本発明は、アクリル樹脂等合成樹脂製の遊技盤を備えるパチンコ遊技機に関する。
【背景技術】
【０００２】
合成樹脂製例えばアクリル樹脂製の遊技盤を備えるパチンコ遊技機は、遊技盤の裏面の外周部に合成樹脂製のスペーサー（補助板部材）を組付け、従前からのベニヤ製の遊技盤が取り付けられる取付枠に取付け可能にするために、遊技盤とスペーサーの組付体からなる遊技盤アッセンブリの厚さを、従前からのベニヤ製の遊技盤と同じ厚さにしている。
【０００３】
そして、この種のパチンコ遊技機の製造ラインにおいては、ルーターを用いて遊技盤に所定の貫通孔等を形成した後、遊技盤アッセンブリを順に積み上げ、積み上げた遊技盤アッセンブリを上から順に下ろして遊技盤の盤面に遊技釘等部品を固定、配設する作業を行っている。
【発明の概要】
【発明が解決しようとする課題】
【０００４】
しかし、遊技盤アッセンブリを積み上げる作業は、遊技盤アッセンブリが合成樹脂製であり互いに滑り易いため容易ではなかった。
【０００５】
本発明は、パチンコ遊技機の製造ラインにおいて、遊技盤アッセンブリの積み上げ作業を容易かつ確実に行うことができるパチンコ遊技機を提供することを目的とする。
【課題を解決するための手段】
【０００６】
本発明のパチンコ遊技機は、合成樹脂製遊技盤の裏面の外周部に合成樹脂製スペーサーを組付けてなる遊技盤アッセンブリを備えるパチンコ遊技機において、前記遊技盤に設けられた貫通孔と、前記スペーサーの遊技盤側の面に前記貫通孔に対応して設けられた係止突起部であって、前記遊技盤に前記スペーサーを組み付けるとき、前記貫通孔を突き抜け、先端部が遊技盤の盤面から突出した状態になる係止突起部と、前記スペーサーの非遊技盤側の面に前記係止突起部に対応して設けられた係止凹部と、を備え、盤面に対する遊技釘等の装着作業前の遊技盤を要素とする遊技盤アッセンブリを順に積み上げたとき、下側の遊技盤アッセンブリの係止突起部の先端部が上側の遊技盤アッセンブリの係止凹部に嵌るよう構成されることを特徴とする。
【０００７】
本発明のパチンコ遊技機によると、遊技釘等が固定、配設される前の遊技盤アッセンブリを順に積み上げたとき、下側の遊技盤アッセンブリの係止突起部の先端部が上側の遊技盤アッセンブリの係止凹部に嵌ることにより、上側の遊技盤アッセンブリが下側の遊技盤アッセンブリの上でずれることなく確実に保持されるようになり、遊技盤アッセンブリの積上げ作業が容易かつ確実なものになる。
【０００８】
ここで、遊技釘等が固定、配設される前の遊技盤アッセンブリを順に積み上げたとき、上側の遊技盤アッセンブリの係止凹部が下側の遊技盤アッセンブリの係止突起部の先端部によって支持され、上側の遊技盤アッセンブリのスペーサーの下面と、下側の遊技盤アッセンブリの遊技盤の盤面とが非接触状態を維持するよう構成すると、上側の遊技盤アッセンブリのスペーサーによって下側の遊技盤アッセンブリの遊技盤の盤面が損傷される不具合を防止することができる。
【図面の簡単な説明】
【０００９】
【図１】本発明の一実施形態に係るパチンコ遊技機の遊技盤の正面図及び下面図である。
【図２】図１図示の遊技盤の裏面に固定されるスペーサーの正面図及び下面図である。
【図３】図１図示の遊技盤に図２図示のスペーサーを組み付けてなる遊技盤アッセンブリの積上げ状態を示す正面図である。
【図４】遊技盤にスペーサーを組み付ける際の遊技盤及びスペーサーの要部断面図である。
【図５】下側の遊技盤アッセンブリに上側の遊技盤アッセンブリを積上げる前における、上側の遊技盤アッセンブリ及び下側の遊技盤アッセンブリの要部断面図である。
【図６】下側の遊技盤アッセンブリに上側の遊技盤アッセンブリを積上げた際における、上側の遊技盤アッセンブリ及び下側の遊技盤アッセンブリの要部断面図である。
【発明を実施するための形態】
【００１０】
本発明の一実施形態に係るパチンコ遊技機は、図１に示すような透明なアクリル樹脂等合成樹脂製遊技盤１を備える。
【００１１】
図１に示す遊技盤１は、パチンコ遊技機の製造ラインにおいて、遊技釘、風車、内レール、外レール、第１始動口（ヘソ）、第２始動口（電チュー）、大入賞口（アタッカー）、普通入賞口、ゲート、センター装飾部材、装飾ランプ、第１特別図柄表示器、第２特別図柄表示器など各種部品（いずれも図示せず。）が装着される前の遊技盤の状態を示しており、部品の構造及び装着部位に対応して所定形状の複数の貫通孔２が設けられている。また、遊技盤１の外周部には、複数の組付孔３が設けられており、各組付孔３には、後述するスペーサー５の組付リブ１１が圧入され、遊技盤１にスペーサー５が組み付けられて遊技盤アッセンブリ１００が構成される。遊技盤１の厚さは例えば１０ｍｍである。
【００１２】
遊技盤１の裏面４の外周部には、図２に示すような環状の略透明な合成樹脂製スペーサー５が組み付けられる。スペーサー５は、遊技盤１の左上コーナー部に配される左上部材６と、遊技盤１の右上コーナー部に配される右上部材７と、遊技盤１の左下コーナー部に配される左下部材８と、遊技盤１の右下コーナー部に配される右下部材９とに４分割されており、左上部材６と右上部材７、右上部材７と右下部材９、右下部材９と左下部材８、左下部材８と左上部材６、が互いに嵌合等により連結されることによって図２（Ａ）に示すような環状形状に構成される。スペーサー５の正面１０（遊技盤側に配される面）には、遊技盤１の各組付孔３に対応して複数の組付リブ１１が設けられており、遊技盤１の各組付孔３に組付リブ１１を圧入することにより、遊技盤１にスペーサー５が組み付けられ、遊技盤アッセンブリ１００が形成される。左上部材６、右上部材７、左下部材８及び右下部材９は、それぞれ、略平板状の２つの部材、換言すると平板部材１２、１３を重ね合わせ、２つの平板部材１２、１３をビス止めして一体に構成される。さらに、左上部材６、右上部材７、左下部材８及び右下部材９には、適宜、配線通し用の孔１４等が設けられている。スペーサー５の厚さは例えば９ｍｍである。
【００１３】
パチンコ遊技機の製造ラインにおいて、遊技盤１に対して遊技釘等を装着する作業工程の前工程で、図３に示すように、遊技盤アッセンブリ１００を積上げる作業が行われる。その積上げ作業の後、今度は積上げた遊技盤アッセンブリ１００を上から下ろし遊技釘等を装着する作業が行われる。
【００１４】
遊技盤アッセンブリ１００のスペーサー５は、左上部材６、右上部材７、左下部材８及び右下部材９のいずれか３つ以上の部材に、図４に示すような係止突起部２１を備える。係止突起部２１は、２つの平板部材１２、１３のうち遊技盤１側の平板部材１２の上面２２に垂直に形成されている。また、係止突起部２１の長さは、遊技盤１の厚さよりも長く設定されている。また、２つの平板部材１２、１３のうち非遊技盤１側の平板部材１３の下面２３には、係止突起部２１の真下の位置に係止凹部２４が形成されている。係止凹部２４は、係止突起部２１の先端部２５を収容可能な形状を有している。
【００１５】
遊技盤１には、各係止突起部２１に対応して上下方向の貫通孔２６が形成されている。貫通孔２６は、係止突起部２１を挿通可能に構成されている。
【００１６】
遊技盤１にスペーサー５を組み付ける際、図４に示すように、スペーサー５の係止突起部２１を遊技盤１の貫通孔２６に挿通し、遊技盤１にスペーサー５を組み付ける。遊技盤１にスペーサー５が組み付けられた遊技盤アッセンブリ１００の状態では、係止突起部２１の先端部２５は遊技盤１の盤面２７から突出した状態となる。
【００１７】
遊技盤アッセンブリ１００を図３に示すように順に積上げる際、図５に示すように、積上げようとする遊技盤アッセンブリ１００Ａ（上側の遊技盤アッセンブリ）を、遊技盤１が上、スペーサー５が下になるよう水平状態にし、下側の平板部材１３の下面２３の係止凹部２４が、既に積み終わっている遊技盤アッセンブリ１００Ｂ（下側の遊技盤アッセンブリ）の遊技盤１の盤面２７から突出している係止突起部２１の先端部２５の真上に位置するよう位置決めし、上側の遊技盤アッセンブリ１００Ａを下側の遊技盤アッセンブリ１００Ｂの上に載せる。上側の遊技盤アッセンブリ１００Ａを下側の遊技盤アッセンブリ１００Ｂに載せたとき、図６に示すように、下側の遊技盤アッセンブリ１００Ｂの係止突起部２１の先端部２５は、上側の遊技盤アッセンブリ１００Ａの対応する係止凹部２４に収容された状態となる。このため、上側の遊技盤アッセンブリ１００Ａは、下側の遊技盤アッセンブリ１００Ｂの上に固定される。係止突起部２１は、３つ以上からなり、かつ、各係止突起部２１の先端部２５が対応する係止凹部２４に収容状態にあるとき、上側の遊技盤アッセンブリ１００Ａを３点以上で支持可能な部位に設けられている。このため、各係止突起部２１の先端部２５が対応する係止凹部２４に収容状態にあるとき、上側の遊技盤アッセンブリ１００Ａのスペーサー５の下面（平板部材１３の下面２３）と、下側の遊技盤アッセンブリ１００Ｂの遊技盤１の盤面２７とは非接触状態を維持する。
【００１８】
以上説明したように、本実施形態のパチンコ遊技機は、合成樹脂製遊技盤１の裏面４の外周部に合成樹脂製スペーサー５を組付けてなる遊技盤アッセンブリ１００を備えるパチンコ遊技機において、遊技盤１に設けられた貫通孔２６と、スペーサー５の遊技盤１側の面（上面２２）に貫通孔２６に対応して設けられた係止突起部２１であって、遊技盤１にスペーサー５を組み付けるとき、貫通孔２６を突き抜け、先端部２５が遊技盤１の盤面２７から突出した状態になる係止突起部２１と、スペーサー５の非遊技盤側の面（下面２３）に係止突起部２１に対応して設けられた係止凹部２４と、を備え、盤面２７に対する遊技釘等の装着作業前の遊技盤１を要素とする遊技盤アッセンブリ１００を順に積み上げたとき、上側の遊技盤アッセンブリ１００Ａの係止凹部２４が下側の遊技盤アッセンブリ１００Ｂの係止突起部２１の先端部２５によって支持され、上側の遊技盤アッセンブリ１００Ａのスペーサー５の下面２３と、下側の遊技盤アッセンブリ１００Ｂの遊技盤１の盤面２７とが非接触状態を維持するよう構成される。
【００１９】
本実施形態のパチンコ遊技機によると、遊技釘等が固定、配設される前の遊技盤アッセンブリ１００を順に積み上げたとき、下側の遊技盤アッセンブリ１００Ｂの係止突起部２１の先端部２５が上側の遊技盤アッセンブリ１００Ａの係止凹部２４に嵌ることにより、上側の遊技盤アッセンブリ１００Ａが下側の遊技盤アッセンブリ１００Ｂの上でずれることなく確実に保持されるようになり、遊技盤アッセンブリ１００の積上げ作業が容易かつ確実なものになる。さらに、遊技盤アッセンブリ１００を積み上げたとき、上側の遊技盤アッセンブリ１００Ａのスペーサー５の下面２３と、下側の遊技盤アッセンブリ１００Ｂの遊技盤１の盤面２７とが非接触状態に維持されるようになるため、上側の遊技盤アッセンブリ１００Ａのスペーサー５によって下側の遊技盤アッセンブリ１００Ｂの遊技盤１の盤面２７が損傷される不具合を防止することができる。ここで、係止突起部２１の先端部２５の断面形状は円形の他、三角形、四角形など多角形、あるいは、楕円形、長円形など、異形形状で構成し、係止凹部２４は先端部２５の断面形状に対応した孔形状で構成してもよい。このように構成した場合、ピン２１の個数を１つに設定しても、位置ずれを防止可能となると共に、上側の遊技盤アッセンブリ１００Ａのスペーサー５の下面２３と、下側の遊技盤アッセンブリ１００Ｂの遊技盤１の盤面２７とを略全体的に非接触状態に維持することが可能である。
【符号の説明】
【００２０】
１    遊技盤
４    遊技盤の裏面
５    スペーサー
２１    係止突起部
２２    スペーサーの遊技盤側の面（スペーサーの上面）
２３    スペーサーの非遊技盤側の面（スペーサーの下面）
２４    係止凹部
２５    係止突起部の先端部
２６    貫通孔
２７    盤面
１００    遊技盤アッセンブリ
１００Ａ    上側の遊技盤アッセンブリ
１００Ｂ    下側の遊技盤アッセンブリ
【図１】
2011045447.tif 000003
【図２】
2011045447.tif 000004
【図３】
2011045447.tif 000005
【図４】
2011045447.tif 000006
【図５】
2011045447.tif 000007
【図６】
2011045447.tif 000008